(57)【要約】      （修正有）【課題】津波や水害時に、頭部を含む身体全体が水に飲み込まれて息が出来なくなる様な危機的状態に陥っても、胸部と頭部に装着し、頭部を水面に浮上させる事により呼吸を可能とし、安全に避難する事ができる水難用救命具を提供するる。【解決手段】胸部に装着するための首ベルト８と胸ベルト１４が取付けられ、給排気口にストロー式逆止弁を取付けた胸装着用エアーパック５と、頭部に装着するため、頭上部が楕円形の樹脂フィルムで成形された頭上部カバーの外周部と、顔面部を透明な樹脂フィルムで、顔面下部と側頭部と後頭部は２枚の樹脂フィルムにストロー式逆止弁を取付け周囲を溶着した頭部回りエアーバックの上部外周部を接合して溶着し側頭部の下部に肩紐７を取付けた水難用救命具を提供する。【選択図】図１
2014097779.tif 000002
【特許請求の範囲】
【請求項１】
津波や水害等で避難する際に装着する水難用救命具において、胸部に装着するための首ベルトと胸ベルトが取付けられ、給排気口にストロー式逆止弁を取付けた胸装着用エアーバックと、頭部に装着するため、頭上部が楕円形の樹脂フィルムで成形された頭上部カバーの外周部と、顔面部が１枚の透明な樹脂フィルムで、顔面下部と側頭部と後頭部は２枚の樹脂フィルムにストロー式逆止弁を取付け周囲を溶着した頭部回りエアーバックの上部外周部を結合して溶着し側頭部の下部に肩紐を取付けた頭部エアーバックで構成した事を特徴とする携帯式津波救命具。
【請求項２】
小型酸素ボンベに酸素吸入口を取付け、酸素吸入口と人間が外気を呼吸するための給排気口を、口に銜える事が出来るように、口当て止水カバーに固定すると共に、外気を給排気するための呼吸装置の給排気筒を伸縮可能に構成し、給排気筒の上部に笛を内臓し、上端部にはＬＥＤ点滅灯を取付け、酸素吸入口を、胸装着用エアーバックの給排気口に接続する事が出来るように構成した事を特徴とする請求項１に記載の携帯式津波救命具。
【請求項３】
呼吸装置の給排気筒を縮めた際、給排気筒の上端部に取付けたＬＥＤ点滅灯の外部カバーが給排気筒の上部と密接し、呼吸装置の内部へ水の浸入を防いだ事を特徴とする請求項１と２に記載の携帯式津波救命具。
【請求項４】
呼吸装置の給排気筒を、口当て止水カバーに対して回動自在に構成すると共に、口当て止水カバーと給排気口と酸素給気口を柔らかい樹脂で成型し、小型酸素ボンベを芯にして胸装着用エアーパックと頭部回りエアーバックを丸め、通常時には手の平に収まるか、それよりやや大きい程度のサイズに小型化し、小型バックの中へ収納出来るようにした事を特徴とする請求項１及至３に記載の携帯式津波救命具。
【請求項５】
頭部回りエアーバックは、透明な１枚の樹脂フィルムを概ね長方形に裁断し、さらに両肩に対応する部分を逆Ｕの字形に裁断すると共に、もう１枚の概ね凹形状に裁断した樹脂フィルムを、長方形に裁断した樹脂フィルムに重ね、顔面中央下部の２枚の樹脂フィルムを縦に切断し、２枚の樹脂フィルムの周囲を溶着してエアーバックを形成した事を特徴とする請求項１に記載の携帯式津波救命具。
【請求項６】
頭部回りエアーバックの縦方向に、上下に空気の通気層を設けた複数個所の間仕切り用の溶着部を形成し、頭部側面を略円筒状の形状をした複数のエアーバックで囲う事により、津波等の中の漂流物と頭部が接触した場合、頭部への損傷を抑えた事を特徴とする請求項１と５に記載の携帯式津波救命具。
【請求項７】
頭部回りエアーバックの、円筒状に膨らんだ部分が耳に当接するように形成する事により、水が耳の中へ入いるのを防ぐと共に、津波等の中の漂流物と身体が接触した際、耳部への損傷を抑えた事を特徴とする請求項１と５と６に記載の携帯式津波救命具。
【請求項８】
ストロー式逆止弁に挿入するストローに、シート状の抜落ち防止用のストッパーを溶着すると共に、逆止弁用の２枚の薄い樹脂フィルムの両横を溶着する際、中央部にストローを通過させる事ができる隙間を開けて両横の一部を横凸形状に溶着して抜落ち防止溶着部を形成した事を特徴とする請求項１に記載の携帯式津波救命具。
【請求項９】
ストロー式逆止弁に挿入するストローに、下部がストローの円周と概ね同一円周で上部が傘のように開いた柔らかい樹脂で成形された逆抜防止ストッパーを取付けると共に、ストロー上部にストローに対して概ね９０度曲げて口で自在に回転させる事が出来る給排気部を形成し、さらに給排気部の下端はストローを挿入するストロー挿入口より太く形成し、給排気部の先端には給排気口を口で銜える事が出来るようにリング状の口銜部を形成した事を特徴とする請求項１に記載の携帯式津波救命具。
【請求項１０】
酸素給気口を、エアーバックのストロー式逆止弁に挿入したストローに接続して小型酸素ボンベの酸素でエアーバックを膨らませ、津波や水害等で避難する際、身体全体が津波や洪水に飲み込まれて息が出来なくなる様な危機的状況に陥っても、エアーバックの中の酸素を、エアーバックのストロー式逆止弁に挿入したストローで呼吸して避難出来るように構成した事を特徴とする請求項１と２と８と９に記載の携帯式津波救命具。
【請求項１１】
頭部回りエアーバックの顔面部分の下部中央に、樹脂フィルムを複数枚重ねて溶着した呼吸装置挿入部を形成すると共に、呼吸装置挿入部の縦中央部を切断し、左右に呼吸装置の給排気口と酸素吸気口を挿入するための穴を開けた事を特徴とする請求項１と５に記載の携帯式津波救命具。
【請求項１２】
頭部回りエアーバックの顔面下部に、呼吸装置の小型酸素ボンベを収納するための酸素ボンベポケットが取付けられた内カバーを配置し、内カバーの一端を頭部回りエアーバックに溶着し、他端にマジックテープを取付け、さらに頭部回りエアーバックにも、内カバーのマジックテープに対応する箇所にマジックテープを取付け、頭部回りエアーバックの顔面下部の顔面下切断部を、内カバーで開閉自在に出来るように構成した事を特徴とする請求項１と２と５及至９に記載の携帯式津波救命具。
【請求項１３】
頭部回りエアーバックの顔面下部の内カバーの前面に、内カバーの酸素ボンベポケットを押さえるための外カバーを配置し、外カバーの一端を頭部回りエアーバックに溶着し、他端にマジックテープを取付けると共に、さらに顔面下部の頭部回りエアーバックにも、外カバーのマジックテープに対応する箇所にマジックテープを取付け、酸素ボンベポケットを外カバーで押さえた事により、手で呼吸装置を保持する必要が無くなった事を特徴とする請求項１と２と５と６及至９と１２に記載の携帯式津波救命具。
【請求項１４】
胸装着用エアーバックと頭部エアーバックを筒状に丸めて長期間保管した場合でも、樹脂フィルム同士が貼り付かないようにポリウレタンフィルムを使用した事を特徴とする請求項１と５及至７と１２と１３に記載の携帯式津波救命具。
【請求項１５】
ストロー式逆止弁をポリウレタンで成形すると共に、ストロー式逆止弁に挿入するストローをポリプロピレン又はポリエチレンで成形し、ストロー先端部の口銜部をポリウレタン樹脂で成形した事を特徴とする請求項１と８及至１０に記載の携帯式津波救命具。
【請求項１６】
小型酸素ボンベに取付ける酸素吸入口と、人間が外気を呼吸するための給排気口と口当て止水カバーをポリウレタン樹脂で成形すると共に、呼吸装置の給排気筒をＡＢＳ樹脂で成型した事を特徴とする請求項１及至４に記載の携帯式津波救命具。
【発明の詳細な説明】
【技術分野】
【０００１】  本発明は、津波や水害時に、頭部を含む身体全体が水に飲み込まれて息が出来なくなる様な危機的状態に陥っても、胸部と頭部に装着し、頭部を水面に浮上させる事により呼吸を可能とし、安全に避難する事ができる水難用救命具に関するものである。
【背景技術】
【０００２】  平成２３年３月１１日に発生した東日本大震災とそれに伴って発生した津波により亡くなった死者と行方不明者の合計は２万人以上にも及び、今後も、東海トラフ地震等の大地震により大津波が発生するおそれのある事が指摘されており、災害時に自らの命を救命するための対策を準備しておく事が不可欠になっている。【０００３】  津波災害に遭遇しないためには、いち早く安全な高台等に避難することが必要であるが、震源地が近い時や、高台の無い沿岸部で生活している人にとっては高いビルや高台等へ避難する時間的余裕が無く、特に、高齢者など足腰が弱い人の場合には、地震発生から津波が到達するまでの短時間の間に、ビル等の長い階段を上って高い位置にある屋上へと避難するのは非常に大変な事であり、また、車で避難する場合には交通渋滞等により避難場所までの移動が困難な状況となり、避難途中に津波に巻き込まれて死亡する危険性が高かった。【０００４】  水害時に、生命を守り安全に避難するための救命具に関しては、救命胴衣や浮輪等の救命用具が数多く提案されており、その中でもライフジャケットは一般に周知されているが、平時に携帯して持ち歩く事を想定しないで作られており、そのため外出時に津波や洪水等の水害に遭遇し、頭部が水中に水没して呼吸が出来なくなるといった事態には対応できなかった。【０００５】  さらに、水中で長時間作業をしたり、スキューバダイビングで使用するための本格的なエアータンクやレギュレーターは市販されているが、津波や洪水等で身体が水中に水没した場合、水中で一時的に呼吸する事ができる小型ボンベを使用した呼吸器具は市販されていなかった。【０００６】  また、津波のような危機的状態で避難する場合、救助してくれる人々（救助隊）に避難者の位置を的確に知らせるための笛や非常用点滅灯が装着された水難用救命具はなかった。【０００７】  このような事から、万一の水害時に備えて、常に携帯する事が可能で、非常時に簡単に装着でき、津波等の水害に対応する事が出来る避難具が必要であるが、現実的には、実用化されていないのが現状である。
【先行技術文献】
【特許文献】
【０００８】  従来から、水害等で避難する際に、例えば特許文献１のように、ガスボンベとエアーバックを装着し、水難時には自動的に救命袋が膨らむ水難用救命具が発明されている。
【特許文献１】特開平９−３０１２７２
【０００９】  さらに、特許文献２のように、腕に装着して使用する、腕バンドタイプの携帯用救命浮袋も発明されている。
【特許文献２】特開平９−２４０５８４
【発明の概要】
【発明が解決しようとする課題】
【００１０】  しかしながら、上記したような水難用救命具の場合には、身体を水面に浮かべる事は出来たが、津波や水害で避難する場合、一時的に身体全体が水中に水没して水を多量に飲み込み気絶して死亡する場合が多く、従来の水難用救命具において、頭部が水中に水没して呼吸困難に陥る事態を想定して作られている製品は無かった。【００１１】  さらに、水難用救命具を使用する際に煩わしい動作を伴うため、身体への装着が正しい手順で行われないと、水難用救命具が機能どおりの能力を発揮出来なくなったり、使用中に救命具が身体から外れたりする事があり、不適切に使用すると人命に関わるといった問題があった。【００１２】  さらに、上記したような水難用救命具の場合でも、エアーバックを膨満するためのガスボンベは水難用救命具に装着されていたが、身体が水中に水没した場合、人間が水中で呼吸するために使用する小型ボンベは水難用救命具に装備されていなかった。【００１３】  また、従来から一般販売されている本格的な水難用救命具は、サイズが大きくて重く、ふだん持ち歩く小型バック等に収納する事が出来ないため、外出先で津波や洪水等に遭遇した場合に、その場で水難用救命具を装着して避難する事が出来なかった。【００１４】  さらに、地下街や地下鉄のトンネルの内部で水害にあった場合、水難用救命具を所持していないため、自らの力で水面に浮かび、泳いで避難するしか方法がなく、水泳の苦手の人の場合は溺れて死亡する危険性が高かった。【００１５】  本発明は、上記の問題の解決を図るもので、小型で持ち運びが簡単で小型バックの中にも収納でき、津波や水害で避難する際に、頭部を水上へ浮上させると共に、頭部が水中に水没した場合でも呼吸する事ができ、水中で呼吸している場合でも笛と非常点滅灯が避難者の位置を、救助してくれる人々（救助隊）に確実に知らせる事が出来る水難用救命具を提供する事を課題とする。【００１６】  さらに、都市の地下街や地下鉄のトンネルの中で水害にあった場合においても、その場で水難用救命具を装着する事により身体が水面に浮かび、陸上に避難する事ができる場所（地下街の場合には地上出口、地下鉄の場合には地下鉄駅のホーム等）まで、たどり着く事が出来る水難用救命具を提供する事を課題とする。
【課題を解決するための手段】
【００１７】  かかる課題を解決するため、請求項１に記載の発明は、津波や水害等で避難する際に装着する水難用救命具において、胸部に装着するための首ベルトと胸ベルトが取付けられ、給排気口にストロー式逆止弁を取付けた胸装着用エアーバックと、頭部に装着するため、頭上部が楕円形の樹脂フィルムで成形された頭上部カバーの外周部と、顔面部が１枚の透明な樹脂フィルムで、顔面下部と側頭部と後頭部は２枚の樹脂フィルムにストロー式逆止弁を取付け周囲を溶着した頭部回りエアーバックの上部外周部を結合して溶着し側頭部の下部に肩紐を取付けた頭部エアーバックで構成した事を特徴とする。【００１８】  請求項２に記載の発明は、請求項１に記載の構造に加え、小型酸素ボンベに酸素吸入口を取付け、酸素吸入口と人間が外気を呼吸するための給排気口を、口に銜える事が出来るように、口当て止水カバーに固定すると共に、外気を給排気するための呼吸装置の給排気筒を伸縮可能に構成し、給排気筒の上部に笛を内臓し、上端部にはＬＥＤ点滅灯を取付け、酸素吸入口を、胸装着用エアーバックの給排気口に接続する事が出来るように構成した事を特徴とする。【００１９】  請求項３に記載の発明は、請求項１と２に記載の構造に加え、呼吸装置の給排気筒を縮めた際、給排気筒の上端部に取付けたＬＥＤ点滅灯の外部カバーが給排気筒の上部と密接し、呼吸装置の内部へ水の浸入を防いだ事を特徴とする。【００２０】  請求項４に記載の発明は、請求項１及至３に記載の構造に加え、呼吸装置の給排気筒を、口当て止水カバーに対して回動自在に構成すると共に、口当て止水カバーと給排気口と酸素給気口を柔らかい樹脂で成型し、小型酸素ボンベを芯にして胸装着用エアーパックと頭部回りエアーバックを丸め、通常時には手の平に収まるか、それよりやや大きい程度のサイズに小型化し、小型バックの中へ収納出来るようにした事を特徴とする。【００２１】  請求項５に記載の発明は、請求項１に記載の構造に加え、頭部回りエアーバックは、透明な１枚の樹脂フィルムを概ね長方形に裁断し、さらに両肩に対応する部分を逆Ｕの字形に裁断すると共に、もう１枚の概ね凹形状に裁断した樹脂フィルムを、長方形に裁断した樹脂フィルムに重ね、顔面中央下部の２枚の樹脂フィルムを縦に切断し、２枚の樹脂フィルムの周囲を溶着してエアーバックを形成した事を特徴とする。【００２２】  請求項６に記載の発明は、請求項１と５に記載の構造に加え、頭部回りエアーバックの縦方向に、上下に空気の通気層を設けた複数個所の間仕切り用の溶着部を形成し、頭部側面を略円筒状の形状をした複数のエアーバックで囲う事により、津波等の中の漂流物と頭部が接触した場合、頭部への損傷を抑えた事を特徴とする。【００２３】  請求項７に記載の発明は、請求項１と５と６に記載の構造に加え、頭部回りエアーバックの、円筒状に膨らんだ部分が耳に当接するように形成する事により、水が耳の中へ入いるのを防ぐと共に、津波等の中の漂流物と身体が接触した際、耳部への損傷を抑えた事を特徴とする。【００２４】  請求項８に記載の発明は、請求項１に記載の構造に加え、ストロー式逆止弁に挿入するストローに、シート状の抜落ち防止用のストッパーを溶着すると共に、逆止弁用の��枚の薄い樹脂フィルムの両横を溶着する際、中央部にストローを通過させる事ができる隙間を開けて両横の一部を横凸形状に溶着して抜落ち防止溶着部を形成した事を特徴とする。【００２５】  請求項９に記載の発明は、請求項１に記載の構造に加え、ストロー式逆止弁に挿入するストローに、下部がストローの円周と概ね同一円周で上部が傘のように開いた柔らかい樹脂で成形された逆抜防止ストッパーを取付けると共に、ストロー上部にストローに対して概ね９０度曲げて口で自在に回転させる事が出来る給排気部を形成し、さらに給排気部の下端はストローを挿入するストロー挿入口より太く形成し、紿排気部の先端には給排気口を口で銜える事が出来るようにリング状の口銜部を形成した事を特徴とする。【００２６】  請求項１０に記載の発明は、請求項１と２と８と９に記載の構造に加え、酸素給気口を、エアーバックのストロー式逆止弁に挿入したストローに接続して小型酸素ボンベの酸素でエアーバックを膨らませ、津波や水害等で避難する際、身体全体が津波や洪水に飲み込まれて息が出来なくなる様な危機的状況に陥っても、エアーバックの中の酸素を、エアーバックのストロー式逆止弁に挿入したストローで呼吸して避難出来るように構成した事を特徴とする。【００２７】  請求項１１に記載の発明は、請求項１と５に記載の構造に加え、頭部回りエアーバックの顔面部分の下部中央に、樹脂フィルムを複数枚重ねて溶着した呼吸装置挿入部を形成すると共に、呼吸装置挿入部の縦中央部を切断し、左右に呼吸装置の給排気口と酸素吸気口を挿入するための穴を開けた事を特徴とする。【００２８】  請求項１２に記載の発明は、請求項１と２と５及至９に記載の構造に加え、頭部回りエアーバックの顔面下部に、呼吸装置の小型酸素ボンベを収納するための酸素ボンベポケットが取付けられた内カバーを配置し、内カバーの一端を頭部回りエアーバックに溶着し、他端にマジックテープを取付け、さらに頭部回りエアーバックにも、内カバーのマジックテープに対応する箇所にマジックテープを取付け、頭部回りエアーバックの顔面下部の顔面下切断部を、内カバーで開閉自在に出来るように構成した事を特徴とする。【００２９】  請求項１３に記載の発明は、請求項１と２と５及至９と１２に記載の構造に加え、頭部回りエアーバックの顔面下部の内カバーの前面に、内カバーの酸素ボンベポケットを押さえるための外カバーを配置し、外カバーの一端を頭部回りエアーバックに溶着し、他端にマジックテープを取付けると共に、さらに顔面下部の頭部回りエアーバックにも、外カバーのマジックテープに対応する箇所にマジックテープを取付け、酸素ボンベポケットを外カバーで押さえた事により、手で呼吸装置を保持する必要が無くなった事を特徴とする。【００３０】  請求項１４に記載の発明は、請求項１と５及至７と１２と１３に記載の構造に加え、胸装着用エアーバックと頭部エアーバックを筒状に丸めて長期間保管した場合でも、樹脂フィルム同士が貼り付かないようにポリウレタンフィルムを使用した事を特徴とする。【００３１】  請求項１５に記載の発明は、請求項１と８及至１０に記載の構造に加え、ストロー式逆止弁をポリウレタン樹脂で成形すると共に、ストロー式逆止弁に挿入するストローをポリプロピレン又はポリエチレンで成形し、ストロー先端部の口銜部をポリウレタンで成形した事を特徴とする。【００３２】  請求項１６に記載の発明は、請求項１及至４に記載の構造に加え、小型酸素ボンベに取付ける酸素吸入口と、人間が外気を呼吸するための給排気口と口当て止水カバーをポリウレタン樹脂で成形すると共に、呼吸装置の給排気筒をＡＢＳ樹脂で成型した事を特徴とする。
【発明の効果】
【００３３】  請求項１に記載の発明によれば、津波や水害等で避難する際に装着する水難用救命具において、胸部に装着するための首ベルトと胸ベルトが取付けられ、給排気口にストロー式逆止弁を取付けた胸装着用エアーバックと、頭部に装着するため、頭上部が楕円形の樹脂フィルムで成形された頭上部カバーの外周部と、顔面部が１枚の透明な樹脂フィルムで、顔面下部と側頭部と後頭部は２枚の樹脂フィルムにストロー式逆止弁を取付け周囲を溶着した頭部回りエアーバックの上部外周部を結合して溶着し側頭部の下部に肩紐を取付けた頭部エアーバックで構成した事により、胸装着用エアーパックと三次元で顔面部を透明な樹脂フィルムで成形した立体的な頭部エアーバックが視界を良好に保つと共に、エアーバックを頭部回りカバーに一体で溶着したため、エアーバックの位置がずれる事なく安定し、頭部を含む身体全体が、津波や洪水等に飲み込まれて息が出来なくなる様な危機的状態に陥っても、水が鼻や口から大量に体内に入って窒息死するような事態を防ぐ事が可能となった。【００３４】  請求項２に記載の発明によれば、小型酸素ボンベに酸素吸入口を取付け、酸素吸入口と人間が外気を呼吸するための給排気口を、口に銜える事が出来るように、口当て止水カバーに固定すると共に、外気を給排気するための呼吸装置の給排気筒を伸縮可能に構成し、給排気筒の上部に笛を内臓し、上端部にはＬＥＤ点滅灯を取付け、酸素吸入口を、胸装着用エアーバックの給排気口に接続する事が出来るように構成した事により、小型の酸素ボンベの中の酸素を利用して胸装着用エアーバックを膨らませる事が出来るようになると共に、津波のような危機的状態で避難する場合、身体が水中に水没している状態では小型酸素ボンベに取付けられた酸素吸入口から酸素を吸う事により呼吸を可能とし、さらに人間が水面に浮かんで外気を呼吸をする場合、給排気口で呼吸する事により笛とＬＥＤ点滅灯が水面上に出て、救助してくれる人々（救助隊）に避難者の位置を的確に知らせる事が可能となった。【００３５】  請求項３に記載の発明によれば、呼吸装置の給排気筒を縮めた際、給排気筒の上端部に取付けたＬＥＤ点滅灯の外部カバーが給排気筒の上部と密接し、呼吸装置の内部へ水の浸入を防いだ事により、簡単な構造で呼吸装置の給排気筒から水の浸入を防ぐ事が可能となった。【００３６】  請求項４に記載の発明によれば、呼吸装置の給排気筒を、口当て止水カバーに対して回動自在に構成すると共に、口当て止水カバーと給排気口と酸素給気口を柔らかい樹脂で成型し、小型酸素ボンベを芯にして胸装着用エアーパックと頭部回りエアーバックを丸め、通常時には手の平に収まるか、それよりやや大きい程度のサイズに小型化し、小型バックの中へ収納出来るようにした事により、常に小型バック等の中に携帯式津波救命具を入れて外出していれば、例えば、地下鉄のトンネル内で津波や洪水等の水害に遭遇して避難するような場合でも、直ちに携帯式津波救命具を装着する事ができ、頭部を含む身体全体が津波や洪水等にのみ込まれて息が出来なくなる様な危機的状態に陥っても、水が鼻や口から大量に体内に入って窒息死するような事態を防ぐ事が可能となった。【００３７】  請求項５に記載の発明��よれば、頭部回りエアーバックは、透明な１枚の樹脂フィルムを概ね長方形に裁断し、さらに両肩に対応する部分を逆Ｕの字形に裁断すると共に、もう１枚の概ね凹形状に裁断した樹脂フィルムを、長方形に裁断した樹脂フィルムに重ね、顔面中央下部の２枚の樹脂フィルムを縦に切断し、２枚の樹脂フィルムの周囲を溶着してエアーバックを形成した事により、透明な１枚の樹脂フィルムが広い視界を確保し、さらに頭部カバーとエアーバックを一体で構成した事によりエアーバックがより頭部に密着し、頭部回りエアーバックの製作も容易で、製作日数の短縮と制作費を安く抑える事が可能となった。【００３８】  請求項６に記載の発明によれば、頭部回りエアーバックの縦方向に、上下に空気の通気層を設けた複数個所の間仕切り用の溶着部を形成し、頭部側面を略円筒状の形状をした複数のエアーバックで囲う事により、エアーバックを折り曲げる事なく略円筒状の複数のエアーバックが頭部回りを囲う形となり、頭部を津波等の中の漂流物と頭部が接触した場合、頭部を保護して安全に避難する事が可能となった。【００３９】  請求項７に記載の発明によれば、頭部回りエアーバックの、円筒状に膨らんだ部分が耳に当接するように形成する事により、水が耳の中へ入いるのを防ぐと共に、津波等の中の漂流物と身体が接触した際、耳部への損傷を抑えた事により、津波のような危機的状態で避難する場合、周囲の状況を聞き取る事が出来ない様な事態を防ぐと共に、頭部を保護して安全に避難する事が可能となった。【００４０】  請求項８に記載の発明によれば、ストロー式逆止弁のストローに、シート状の抜落ち防止用のストッパーを溶着すると共に、逆止弁用の２枚の薄い樹脂フィルムの両横を溶着する際、中央部にストローを通過させる事ができる隙間を残して両横の一部を横凸形状に溶着して抜落ち防止溶着部を形成した事により、緊急時で気が動転している場合でも、ストローがストロー式逆止弁から抜け落ちる事なく確実に息を給排気する事が可能となった。【００４１】  請求項９に記載の発明によれば、ストロー式逆止弁のストローに、下部がストローの円周と概ね同一円周で上部が傘のように開いた柔らかい樹脂で成形された逆抜防止ストッパーを取付けると共に、ストロー上部にストローに対して概ね９０度曲げて口で自在に回転させる事が出来る給排気部を形成し、さらに給排気部の下端はストローを挿入するストロー挿入口より太く形成し、給排気部の先端には給排気口を口で銜える事が出来るようにリング状の口銜部を形成した事により、緊急時で気が動転している場合でも、ストローがストロー式逆止弁から抜け落ちる事なく確実に息を給排気する事が可能となった。【００４２】  請求項１０に記載の発明によれば、酸素給気口を、エアーバックのストロー式逆止弁に挿入したストローに接続して小型酸素ボンベの酸素でエアーバックを膨らませ、津波や水害等で避難する際、身体全体が津波や洪水に飲み込まれて息が出来なくなる様な危機的状況に陥っても、エアーバックの中の酸素を、エアーバックのストロー式逆止弁に挿入したストローで呼吸して避難出来るように構成した事により、津波のような危機的状態の中で避難する場合、一時的に身体全体が水中に水没するような事���に陥っても、エアーバックの中の酸素を、ストロー式逆止弁に挿入したストローを口に銜えて呼吸し避難する事が可能となった。【００４３】  請求項１１に記載の発明によれば、頭部回りエアーバックの顔面部分の下部中央に、樹脂フィルムを複数枚重ねて溶着した呼吸装置挿入部を形成すると共に、呼吸装置挿入部の縦中央部を切断し、左右に呼吸装置の給排気口と酸素吸気口を挿入するための穴を開けた事により、給排気口と酸素吸気口を容易に口に銜える事が可能になると共に、口に給排気口と酸素吸気口を口に銜えた際に、口当て止水カバーが呼吸装置挿入部に密着して給排気口と酸素吸気口から水が浸入するのを防止する事が可能となった。【００４４】  請求項１２に記載の発明によれば、頭部回りエアーバックの顔面下部に、呼吸装置の小型酸素ボンベを収納するための酸素ボンベポケットが形成された内カバーを配置し、内カバーの一端を頭部回りエアーバックに溶着し、他端にマジックテープを取付け、さらに頭部回りエアーバックにも、内カバーのマジックテープに対応する箇所にマジックテープを取付け、頭部回りエアーバックの顔面下部の顔面下切断部を、内カバーで開閉自在に出来るように構成した事により、顔面下部の顔面切断部からの水の進入を内カバーで防止すると共に、手で小型酸素ボンベを保持する必要がなくなり、津波のような危機的の中で避難する際、自由に両手を使って避難する事が可能となった。【００４５】  請求項１３に記載の発明によれば、頭部回りエアーバックの顔面下部の内カバーの前面に、内カバーの酸素ボンベポケットを押さえるための外カバーを配置し、外カバーの一端を頭部回りエアーバックに溶着し、他端にマジックテープを取付けると共に、さらに顔面下部の頭部回りエアーバックにも、外カバーのマジックテープに対応する箇所にマジックテープを取付け、酸素ボンベポケットを外カバーで押さえた事により、手で呼吸装置を保持する必要が無くなり、呼吸装置が頭部回りエアーバックに固定され、津波のような危機的の中で避難する際、自由に両手を使って避難する事が可能となった。【００４６】  請求項１４に記載の発明によれば、胸装着用エアーバックと頭部エアーバックを筒状に丸めて長期間保管した場合でも、樹脂フィルム同士が貼り付かないようにポリウレタンフィルムを使用した事により、樹脂同士が貼り付かず性能が損なわれない携帯式津波救命具を製造する事が可能となった。【００４７】  請求項１５に記載の発明によれば、ストロー式逆止弁をポリウレタンで成形すると共に、ストロー式逆止弁に挿入するストローをポリプロピレン又はポリエチレンで成形し、ストロー先端部の口銜部をポリウレタン樹脂で成形した事により、本発明の携帯式津波救命具を小型酸素ボンベを芯にして胸装着用エアーバックと頭部回りエアーバックを丸め、通常時には手の平に収まるか、それよりやや大きい程度のサイズに小型化する際、ストローは人が手で丸めた場合でも板状に潰れる事なく、口銜部は柔らかく圧縮可能に構成した事により携帯式津波救命具を小型化する事が可能となった。【００４８】  請求項１６に記載の発明によれば、小型酸素ボンベに取付ける酸素吸入口と、人間が外気を呼吸するための給排気口と口当て止水カバーをポ���ウレタン樹脂で成形すると共に、呼吸装置の給排気筒をＡＢＳ樹脂で成型した事により、本発明の携帯式津波救命具を小型酸素ボンベを芯にして胸装着用エアーバックと頭部回りエアーバックを丸め、通常時には手の平に収まるか、それよりやや大きい程度のサイズに小型化する際、呼吸装置の給排気筒は人が手で丸めた場合でも板状に潰れる事なく、酸素吸入口と給排気口と口当て止水カバーは柔らかく圧縮可能に構成した事により携帯式津波救命具を小型化する事が可能となった。
【実施例１】
【００４９】  以下、この発明の実施の形態１について説明する。
［発明の実施の形態１］【００５０】  図１及至図１７には、この発明の実施の形態１を示す。【００５１】  図１は、本発明の携帯式津波救命具１を人間６が胸部と頭部に装着した状態を、前方向（図１ａ）と横方向（図１ｂ）で示す。【００５２】  図２は、胸部に装着する胸装着用エアーバック５を示す。胸装着用エアーバック５は、図２ａで示すように、２枚の樹脂フィルムを概ね台形に裁断し、上部左右に首ベルト８用のハトメ２３を取付け、下部左右には胸ベルト１４を装着するためのハトメ２４を取付け、さらに上部中央の２枚の樹脂フィルムの間にストロー式逆止弁２０を挟み込み溶着部１９で示すように周囲を溶着し、ハトメ２３に取付けた首ベルト８を首に巻いて胸装着用エアーバック５を首に被り、さらにハトメ２４に取付けた胸ベルト１４で胸回りを固定し、ストロー式逆止弁２０の口銜部２１から息を吹込む事により、胸装着用エアーバック５を膨らませ、人間６が水中に水没した際の浮力を確保する。図２ｂは人間６が胸装着用エアーバック５を胸に装着した状態を示す。【００５３】  図３は、頭部に装着する頭部エアーバック２を示す。頭部エアーバック２は、図３ａ、図３ｂで示すように、楕円形状に樹脂フィルムを裁断した頭上部カバー３０（図３ａ）と、頭部回りエアーバック３２（図３ｂ）で構成される。【００５４】  図３ｂで示す頭部回りエアーバック３２は、透明な一枚の樹脂フィルムを概ね長方形に裁断し、さらに両肩部に対応する肩回り３８、肩回り４１の部分を逆Ｕの字形に裁断すると共に、肩回り３８、肩回り４１の両横下部にハトメ４０を取付け、もう一枚の概ね凹形状に裁断した樹脂フィルムを、長方形に裁断した樹脂フィルムの上に重ね、顔面中央下部の２枚の樹脂フィルムの顔面下切断部３９を縦に切断し、切断した左右上部の２枚の樹脂フィルムの間にストロー式逆止弁４３、ストロー式逆止弁４４を挟み込み、エアーバックが膨らんだ際に、概ね円筒状の空気室が縦方向に形成されるように縦方向に溶着部１２、溶着部１１、溶着部３４、溶着部３６を形成して２枚の樹脂フィルムを溶着し、さらに２枚の樹脂フィルムの周囲を溶着部３５で示すように溶着する事により頭部回りエアーバック３２が形成される。このように形成された頭部回りエアーバック３２の後頭部合せ部３７と後頭部合せ部４２を結合して溶着し、頭部回りエアーバック３２の上部の溶着部３５と、頭上部カバー３０の外周の溶着部３１を重ねて溶着する事により、図３ｃに示すような三次元の立体的な形状をした頭部エアーバック２が形成され、人間６が肩紐７を脇の下に回して頭部エアーバック２を被り、肩紐７の長さを調整して頭部エアーバック２を固定し、ストロー式逆止弁４３、ストロー式逆止弁４４に挿入されたストローから息を吹込む事により頭部回りエアーバック３２が膨らみ、津波や洪水等で避難する際、頭部を水上に浮かせる事が可能になると共に、頭部が水中に水没した場合も頭部エアーバック２の内部へ水の進入するのを防ぎ、さらに複数の略円筒状のエアーバックが頭部回りを囲う形状となるため、頭部を津波等の中の漂流物と頭部が接触した場合でも、エアーバックが頭部を保護して安全に避難する事が可能となる。なお、頭部回りエアーバック３２は、顔面��央下部の２枚の樹脂フィルムの顔面下切断部３９を縦に切断し、切断した左右上部の２枚の樹脂フィルムの間にストロー式逆止弁４３、ストロー式逆止弁４４を挟み込み溶着して形成する事により、頭部回りエアーバック３２は人間の顔面に対して、左右別々の独立した空気室（エアーバック）で形成される。【００５５】  さらに、頭部回りエアーバック３２の溶着部１１と溶着部１２の間の円筒状の空気室と、溶着部３４と溶着部３６の間の円筒状の空気室を、耳全体を覆うように大きく形成する事により、円筒状の空気室が耳に押し付けられ水が耳に浸入する事を防ぐ。【００５６】  図４は、図３で説明した頭部エアーバック２を立体図で示す。顔面透明部３３の下部に透明な樹脂フィルムを裁断した蒲鉾状の補強シート５１を溶着すると共に、補強シート５１の前面上部に、補強シート５１の上部分と同一形状をした上部補強シート５０を溶着し、溶着した補強シート５１の中央部を顔面透明部３３と共に縦に切断し、切断した右側の補強シート５１面に、図１１で説明する酸素給気口１１１を挿入するための横長で蒲鉾形状の酸素給気口挿入穴５５を開口すると共に、切断した左側の補強シート５１面に、図１１で説明する給排気口１０９を挿入するため横長で蒲鉾形状をした給排気口挿入穴５４を開口する。このように構成する事により、呼吸装置挿入部５３が薄板形状の樹脂フィルムとなり、図１１で説明する呼吸装置１００の酸素給気口１１１と給排気口１０９を口で銜える際に、呼吸装置１００が上下左右に動くのを防止して安定した状態を保つと共に、図１１で説明する、呼吸装置１００の口当て止水カバー１１２が呼吸装置挿入部５３に密着して頭部エアーバック２の内部へ水が浸入するのを防ぐ。図４ｃの拡大図で、顔面透明部３３に溶着した補強シート５１と上部補強シート５０を斜め斜線により表示する。【００５７】  図５は、図４で説明した酸素給気口挿入穴５５と給排気口挿入穴５４の穴位置と、ストロー式逆止弁４３、ストロー式逆止弁４４との位置関係を拡大図で示す。ストロー式逆止弁４３とストロー式逆止弁４４を、顔面下切断部３９の左右上部の口元近くの２枚の樹脂フィルムの間に挿入して溶着した状態を点線で示す。顔面透明部３３の下部に呼吸装置挿入部５３が形成され、その呼吸装置挿入部５３の中央部が縦に切断され、口部切断部５６の右下部には、図１１で説明する酸素給気口１１１を挿入するための横長で蒲鉾形状をした酸素給気口挿入穴５５が開けられ、口部切断部５６の左端部には給排気口１０９を挿入するため横長で蒲鉾形状をした給排気挿入穴５４が口元近くに開けられる。【００５８】  図６は、図１で説明した胸部に装着する胸装着用エアーバック５と、頭部に装着する頭部エアーバック２に装着するためのストロー式逆止弁６４の構造を示す。ストロー式逆止弁６４は図６ａで示すように、口銜部６５が概ね９０度に曲げられたストロー６７と、そのストロー６７に対して溶着して取付けられた長方形の樹脂フィルムのストッパー６６で構成されると共に、ストロー挿入弁７３は２枚の薄い樹脂フィルムを重ね、樹脂フィルムの両横のサイド溶着部７２、サイド溶着部７４と、その両横の一部を中央にストローを通過させる事ができる隙間を開けて横凸形状（抜落ち防止溶着部７０）に溶着される。このように溶着されたストロー挿入弁７３にストロー６７とストッパー６６を挿入し、図５の拡大図で説明したように、ストロー挿入弁７３の上部を、２枚の樹脂フィルムの間の溶着部３５に挿入して溶着する際、ストッパー６６が溶着部３５と抜落ち防止部７０の間に配置されるようにストロー６７を挿入し、ストロー６７が上下に動作できるようにストロー６７の外形より多少大きな空間（ストロー挿入口７５）を残して溶着部３５を溶着する事により、口銜部６５を上部に引き上げた際、ストッパー６６が溶着部３５に当接してストロー６７がストロー挿入弁７３から抜け落ちるのを防止する。さらに、口銜部６５を下部に押し下げた際は、ストッパー６６が抜落ち防止溶着部７０に当接し、ストロー６７がストロー挿入部７３の内部に落下するのを防止する。【００５９】  図６ｂは、エアーバックに息を吹込み、エアーバックを膨らませた後、ストロー６７の口銜部６５を最上部まで引き上げた状態を示す。ストロー６７の口銜部６５が最上部まで引き上げられ、ストッパー６６が溶着部３５に当接した状態を示す。このようにストロー下端６８を２枚の薄い樹脂フィルムで形成されたストロー挿入弁７３の内部に引き上げる事により、ストロー挿入弁７３の２枚の薄い樹脂フィルムは、エアーバック内の空気圧力により張り付き、エアーバック内の空気がストロー６７から外に洩れるのを防ぐ。図６ｃはストロー６７の口銜部６５が最下部まで押し下げられ、ストッパー６６が抜落ち防止溶着部７０に当接した状態を示す。この状態で口銜部６５から息を吹込むと、口銜部６５から吹込んだ息はストロー下端６８から排気され、２枚の薄い樹脂フィルムで形成されたストロー挿入弁７３の内部が息で膨らむ事により、息はエアーバックの中に吹込まれてエアーバックを膨らませる。このように構成する事によりストロー６７がストロー挿入弁７３から抜け落ちるのを防止する。【００６０】  図７は、頭部に装着する頭部エアーバック２の顔面透明部３３の下に取付ける内カバー８２と、その内カバー８２に取付ける小型酸素ボンベポケット８３の形状を示す。図７ａは図５で説明した頭部回りエアーバック３２の顔面透明部３３に呼吸装置挿入部５３を取付けた状態を示す。図７ｂは、図７ａの呼吸装置挿入部５３の下部の頭部回りエアーバック３２に、小型酸素ボンベポケット８３を取付けた内カバー８２を取付けた状態を示す。小型酸素ボンベポケット８３を取付けた内カバー８２の形状は、長方形をした１枚の樹脂フィルムに、図１１で説明する小型酸素ボンベ１１３の太さより、やや太い形状で下部を塞いだ筒状の小型酸素ボンベポケット８３を、小型酸素ボンベポケット８３の縦中心が概ね呼吸装置挿入部５３の縦中心と重なるように内カバー８２に取付け、さらに内カバー８２の一端を顔面透明部３３の下部の頭部回りエアーバック３２に溶着すると共に、他端の内カバー８２の上下にマジックテープ８５を取付け、さらに頭部回りエアーバック３２にも、内カバー８２のマジックテープ８５に対応する位置にマジックテープ８０を取付け、頭部回りエアーバック３２の呼吸装置挿入部５３の下部の顔面下切断部３９を内カバー８２に取付けられたマジックテー��で開閉自在に塞ぐと共に、小型酸素ボンベポケット８３の中には、図１５、図１６で説明するように呼吸装置１００の小型酸素ボンベ１１３が収納される。なお、小型酸素ボンベポケット８３の内カバー８２を頭部回りエアーバックに溶着で取付ける位置は、図１１で説明する呼吸装置の酸素給気口１１１と給排気口１０９を口で銜える事が最適な位置に固定される。【００６１】  図７ｂの拡大図Ａでは、内カバー８２の一端の溶着部８１が顔面透明部３３の下部の頭部回りエアーバック３２に溶着され、内カバー８２の他端にはマジックテープ８５が取付けられ、内カバー８２に取付けられたマジックテープ８５に対応する頭部回りエアーバック３２の位置にマジックテープ８０が取付けられた状態を示す。拡大図Ｂでは内カバー８２のマジックテープ８５を頭部回りエアーバック３２のマジックテープ８０に張り付け、内カバー８２で顔面下切断部３９を塞いだ状態を示す。このように内カバー８２にマジックテープ８５を使用して顔面下切断部３９の前面を塞ぐ事により、頭の小さい人や頭が大きな人の場合でも、マジックテープ８５を貼り付ける位置を自分の頭部回りに合わせて調整する事で口部の圧迫感を調整する事が可能となる。【００６２】  図８は、図７で説明した、頭部に装着する頭部エアーバック２の顔面透明部３３の下部に取付ける内カバー８２と、その内カバー８２に取付けられる小型酸素ボンベポケット８３の構造を立体図で示す。図８ａは、図７ａで説明した頭部回りエアーバック３２の後頭部合せ部３７と後頭部合せ部４２を重ねて溶着し、図３ａで説明した頭上部カバー３０の周囲の溶着部３１と、頭部回りエアーバック３２の上部を接合して溶着した状態を立体図で示す。さらに図８ｂでは、図８ａで説明した呼吸装置挿入部５３の下部の顏面下切断部３９に小型酸素ボンベポケット８３を取付けた内カバー８２の一端を取付けた状態を立体図で示す。図８ｃでは、図７ｂの拡大図Ｂで説明した小型酸素ボンベポケット８３を取付けた内カバー８２のマジックテープ８５を頭部回りエアーバック３２のマジックテープ８０に張り付け、内カバー８２で顔面下切断部３９を閉口した状態を立体図で示す。このように頭部カバー３０と頭部回りエアーバック３２を接合して溶着する事により、頭部エアーバック２が三次元で立体的な形状となり、人間が頭部に頭部エアーバック２を装着して水中に投げ出された場合でも、頭部エアーバック２の内部は、例えば、コップを逆さにして水の中に沈めた状態と同じ状態となり、頭部エアーバック２の内部に水が浸入するのを最小限に留める事が可能となった。【００６３】  図９は、頭部に装着する頭部エアーバック２の小型酸素ボンベポケット８３の前面に取付ける外カバー９１を示す。図９ａは、図７ｂで説明した頭部回りエアーバック３２の呼吸装置挿入部５３の下部に、小型酸素ボンベポケット８３を取付けた内カバー８２を取付け、内カバー８２で顔面下切断部３９を塞いだ状態を示す。図９ｂは、図９ａで説明した小型酸素ボンベポケット８３を取付けた内カバー８に外カバー９１を取付けた状態を示す。外カバー９１は内カバー８２を覆う事が出来る大きさに裁断された、１枚の長方形の樹脂フィルムの一端を、顔面透明部３３の下部の頭��回りエアーバック３２に溶着すると共に、他端の外カバー９１の上下にマジックテープ９３を取付け、さらに頭部回りエアーバック３２にも、外カバー９１のマジックテープ９３に対応する位置にマジックテープ９０を取付け、図９ｃで示すように酸素ボンベポケット８３を外カバー９１で押さえて固定する事により、図１１で説明する小型酸素ボンベ１１３を手で保持する必要が無くなり、呼吸装置１００が頭部回りエアーバック３２に固定される事により、津波のような危機的の中で避難する際、自由に両手を使って避難する事が可能となった。【００６４】  図１０は、図９で説明した、頭部に装着する頭部エアーバック３２の小型酸素ボンベポケット８３の前面に取付ける外カバー９１を立体図で示す。図１０ａでは、図９ａで説明した頭部回りエアーバック３２の呼吸装置挿入部５３の下部に小型酸素ボンベポケット８３が取付けられた内カバー８２を取付けた状態を立体図で示す。図１０ｂは、図９ｂで説明した小型酸素ボンベポケット８３が取付けられた内カバー８の前面に外カバー９１の一端が頭部回りエアーバック３２に溶着して取付けられた状態を示す。図１０ｃは、図９ｃで説明した小型酸素ボンベポケット８３が取付けられた内カバー８２を外カバー９１で塞いだ状態を示す。このように外カバー９１にマジックテープ９４を使用して内カバー８２の前面を塞ぐ事により、頭の小さい人や頭が大きな人の場合でも、マジックテープ９４を押さえる位置を調整する事で口部の圧迫感を調整する事が可能となる。【００６５】  図１１は、津波や水害等で避難する際、頭部を含む身体全体が津波や洪水等に飲み込まれて息が出来なくなるような危機的状況に陥った場合に、人間が水中で呼吸するために使用する呼吸装置１００を示す。呼吸装置１００は、小型酸素ボンベ１１３と、小型酸素ボンベ１１３から人間に酸素を供給するため、小型酸素ボンベ１１３の酸素供給口（図示せず）に接続され柔らかく丸形状の樹脂で成形された酸素給気口１１１と、酸素給気口１１１を小型酸素ボンベ１１３に固定するため、樹脂で成形された小型酸素ボンベ固定バンド１０８と、避難する際、人間が外気を呼吸するために柔らかく丸形状の樹脂で成形された給排気口１０９と、酸素給気口１１１と給排気口１０９を保持して支えるために柔らかい板状の樹脂で成形された口当て止水カバー１１２と、給排気口１０９に接続され外気を呼吸するため、頭上部方向に伸びるように配管される下部給排気筒１０６と、常態時では下部給排気筒１０６の内部に収納され、津波や洪水等で避難する際には下部給排気筒１０６より引き出して外気を呼吸するための上部給排気筒１０４と、さらに上部給排気筒１０４が下部給排気筒１０６から抜け落ちないように構成した抜け落ち防止キャップ１０５と、上部給排気筒１０４の上部には、部品図Ａで示す、笛１０３と笛１０３の上部に取付けられるＬＥＤ点滅灯１０２とＬＥＤキャップ１０１で構成された笛・ＬＥＤ点滅灯１１４が取付けられ、酸素給気口１１１の先端部には、図２で説明した胸装着用エアーバック５のストロー式逆止弁２０の口銜部２１に接続する事が出来るようにエアーバック接続口１１０が形成されると共に、下部給排気筒１０６は、口当て止水カバー１１２に���して回動自在に取付けられる。このように構成された呼吸装置１００の小型酸素ボンベ１１３のバルブ開閉ボタン１０７を指で押す事により、小型酸素ボンベ１１３の中の酸素が酸素給気口１１１から供給される。なお、当社が本発明で使用する小型酸素ボンベ１１３は、酸素の充填量が約１０リットルで、人間が呼吸（息を吸ったり吐いたりする動作）を続けた場合、人間により一度に呼吸する量が異なるが、バルブ開閉ボタン１０７を人間が息を吸う吐く動作に合わせて押離操作（ＯＮ、ＯＦＦ操作）をする事により約１２〜１５分間呼吸する事が可能である。【００６６】  さらに、小型酸素ボンベ１１３の酸素給気口１１１に成形したエアーバック接続口１１０を、図２で説明した胸装着用エアーバック５のストロー式逆止弁２０に挿入されたストローの口銜部２１に接続し、小型酸素ボンベ１１３の酸素を胸装着用エアーバック５に供給して胸装着用エアーバック５を膨らませる事により、津波や水害等で避難する際、身体全体が津波や洪水に飲み込まれて息が出来なくなる様な危機的状況に陥っても、胸装着用エアーバック５の中の酸素を、胸装着用エアーバック５のストロー式逆止弁２０に挿入したストローの口銜部２１で呼吸して避難する事が出来るようになった。同様に、小型酸素ボンベ１１３の酸素給気口１１１に形成したエアーバック接続口１１０を、図５で説明したストロー式逆止弁４３とストロー式逆止弁４４の口銜部４と口銜部９に接続し、小型酸素ボンベ１１３の酸素を頭部回りエアーバック３２に供給して頭部回りエアーバック３２を膨らませる事により、津波や水害等で避難する際、身体全体が津波や洪水に飲み込まれて息が出来なくなる様な危機的状況に陥っても、頭部回りエアーバック３２の中の酸素を、頭部回りエアーバック３２のストロー式逆止弁４３とストロー式逆止弁４４に挿入した口銜部４と口銜部９で呼吸して避難する事が出来るようになった。【００６７】  図１１で説明した抜け落ち防止キャップ１０５は、上部給排気筒１０４と下部給排気筒１０６を繋ぎ、上部給排気筒１０４が下部給排気筒１０６より抜け落ちるのを防止するため、抜け落ち防止キャップ１０５の内側には螺旋状のネジ（図示せず）が刻まれ、抜け落ち防止キャップ１０５を回す事により、抜け落ち防止キャップ１０５の内部に挿入された伸縮自在なリング（図示せず）が上部給排気筒１０４を締め付け、上部給排気筒１０４が下部給排気筒１０５から抜け落ちるのを防止する。【００６８】  図１１の部品図で示した笛・ＬＥＤ点滅灯１１４は、上部にＬＥＤキャップ１０１、その下に電池とＬＥＤとＬＥＤ制御基盤が収納されたＬＥＤ点滅灯１０２、さらに、その下部が笛４７で構成され、笛１０３の下部が上部給排気筒１０４に挿入されて固定され、笛１０３の下部の息給排気口１１５から息を吹込む事により笛１０３が「ピー」と鳴ると共に、人間が笛１０３から外気を給気する事も出来るように構成される。このように構成し、人間が津波や水害等で避難する際、ＬＥＤ点滅灯１０２のスイッチを入れる事によりＬＥＤ点滅灯１０２を点滅させ、給排気口１０９で呼吸をする事により笛１０３が「ピー」と鳴り、救助してくれる人々（救助隊）に避難者の位置を的確に知らせる事が出来るよう���なる。【００６９】  図１２ａは、図１１で説明した呼吸装置１００の上部給排気筒１０４を下部給排気筒１０６の内部に収納した状態を示す。図１１の部品図で説明した笛・ＬＥＤ点滅灯１１４のＬＥＤキャップ１０１の下面を抜け落ち防止キャップ１０５の上面に当接させる事により、笛１０３より水が下部給排気筒１０６の内部に侵入するのを防止すると共に、上部給排気筒１０４を下部給排気筒１０６の内部に収納した事により呼吸装置１００の全長を短くする事が可能となった。図１２ｂは、図１２ａで説明した呼吸装置１００の下部給排気筒１０６を１８０度回転させた状態を示す。このように回転させる事により、下部給排気筒１０６を小型酸素ボンベ１１３に沿わせる事が可能となり、呼吸装置１００の全長を短く小型化する事が可能となる。【００７０】  図１３は、図１２ａで説明した呼吸装置１００を、左側面図、正面図、右側面図で示す。図１３ｃで示すように、給排気口１０９の口で銜え込む部分の形状を横長の楕円形状とする事により、口で給排気口１０９と酸素給気口１１１の両方を銜えた際、給排気口１０９と酸素給気口１１１を間違う事がないように形状を変えている。さらに、小型酸素ボンベ１１３に酸素給気口１１１を固定するための小型酸素ボンベ固定バンド１０８は、ボルトとナット１１６により小型酸素ボンベ１１３に固定される。【００７１】  図１４は、図１２ｂで説明した呼吸装置１００を、左側面図、正面図、右側面図で示す。小型酸素ボンベ１１３の横に下部給排気筒１０６を沿わせる事により、呼吸装置１００を小型化する事が出来る。【００７２】  図１５は、図１１及至１４で説明した呼吸装置１００の小型酸素ボンベポケット８３を、図７及至図１０で説明した小型酸素ボンベポケット８３に挿入した状態を示す。人間６の口元に、呼吸装置１００の給排気口１０９、酸素給気口１１１が位置するように頭部エアーバック２に対して小型酸素ボンベポケット８３が取付けられる。【００７３】  図１６は、呼吸装置１００の使用方法を示す。図１６ａは、人間８が呼吸装置１００を手１２０で持った状態を横方向から示す。図１６ｂは、その呼吸装置１００を人間８が口に銜えた状態を横方向から示す。図１６ｂの拡大図Ｂで示すように、呼吸装置１００を口に銜えて使用する際には、笛・ＬＥＤ点滅灯１１４を下部給排気筒１０６から引き出し、図１１で説明した給排気口１０９と酸素給気口１１１を、呼吸装置挿入部５３から口に差し込み、口当て止水カバー１１２で、給排気口挿入穴５４と酸素給気口挿入口５５と口部切断部５６を塞ぎ、人間６が給排気口１０９を使って呼吸する事により、笛１０３で息を呼吸する事が出来るように構成すると共に、息を排気する際には、笛１０３から「ピー」と言う高音が発せられ、救助してくれる人々（救助隊）に避難者の位置を的確に知らせる事が出来る。さらに身体が水中に水没しているような状態においては、図１６ａで示すように、呼吸装置１００の笛・ＬＥＤ点滅灯１１４を下部給排気筒１０６の内部に収納し、図１１で説明したように、呼吸装置１００の給排気口１０９と酸素給気口１１１を呼吸装置挿入部５３から口に挿入し、小型酸素ボンベ１１３のバルブ開閉ボタン１０７を押して、小型酸素ボンベ１１３の中の酸素を酸素給気口１１１に供給する事により、水中でも小型酸素ボンベ１１３の中の酸素を吸う事により呼吸する事が可能となる。なお、図１６においては、呼吸装置１００が頭部エアーバック２に対して、どのような位置関係で使用されるのかを明確に示すため、図１及至１０で説明したストロー式逆止弁４３、ストロー式逆止弁４４、胸装着用エアーバック５は省略して表示している。さらに、呼吸装置１００の各部の名称についても省略して表示している。【００７４】  図１７は、図１２ｂで説明した小型化した呼吸装置１００を芯にして、図２で説明した胸装着用エアーバック５と、図３で説明した肩紐７と、頭上部カバー３０と頭部回りエアーバック３２が溶着されて一体となった頭部エアーバック２を丸めて小型化するための手順を示す。図１７ａは頭上部カバー３０の円周部と頭部回りエアーバック３２の上部が溶着され、肩紐５が取付けられた頭部エアーバック２と、胸装着用エアーバック５を示し、頭部エアーバック２の矢印Ａで示した１点鎖線と、胸装着用エアーバック５の矢印Ｂで示した１点鎖線上で頭部エアーバック２と胸装着用エアーバック５を折り畳む事により、携帯式津波救命具１は図１７ｂで示すように概ね半分の大きさとなり、さらに折畳んだ頭部エアーバック２と胸装着用エアーバック５を重ねて、呼吸装置１００を芯にして酸素給気口１１１（図１２に示す）と給排気口１０９（図１２に示す）を小型酸素ボンベ１１３（図１２に示す）に巻き付けながら丸める事により、図１７ｃで示すように、外形サイズが直径約７ｃｍ長さ約２０ｃｍとなり、小型バックの中に収納して持ち歩く事が可能となる。この場合、酸素給気口１１１と給排気口１０９と口当て止水カバー１１２を小型酸素ボンベ１１３と共に丸めるため、酸素給気口１１１と給排気口１０９と口当て止水カバー１１２は、柔らかい樹脂で成型する事が必要である。
【実施例２】
【００７５】  以下、この発明の実施の形態２について説明する。
［発明の実施の形態２］【００７６】  図１８は、この発明の実施の形態２を示す。上記発明の実施の形態１では、図３ｂにおいて、頭部回りエアーバック３２は、透明な一枚の樹脂フィルムを概ね長方形に裁断し、さらに両肩部に対応する肩回り３８、肩回り４１の部分を逆Ｕの字形に裁断すると共に、肩回り３８、肩回り４１の両横下部にハトメ４０を取付け、もう一枚の概ね凹形状に裁断した樹脂フィルムを、長方形に裁断した樹脂フィルムの上に重ね、顔面中央下部の２枚の樹脂フィルムを縦に切断し、切断した左右の顔面中央下部の２枚の樹脂フィルムの間にストロー式逆止弁４３、ストロー式逆止弁４４を挟み込み、エアーバックが膨らんだ際に、縦方向に概ね円筒状の空気室が形成されるように縦方向に溶着部１２、溶着部１１、溶着部３４、溶着部３６を形成して２枚の樹脂フィルムの周囲を溶着部３５で溶着し、さらに後頭部合せ部３７と後頭部合せ部４２を合わせて溶着する事により頭部回りエアーバック３２を形成したのに対して、この発明の実施の形態２では、頭部回りエアーバック１３５は、２枚の凸形の樹脂フィルムを重ね、両肩部に対応する肩回り１４３と肩回り１４４の部分を逆Ｕの字形に裁断すると共に、２枚の凸形の樹脂フィルムを重ねた両端上部にストロー式逆止弁１４０、ストロー式逆止弁１４８を挿入し、凸形の樹脂フィルムの一方に透明な樹脂フィルムを長方形に裁断した顔面透明部１３７を、２枚の凸形の樹脂フィルムに挿入し、２枚の凸形の周囲を溶着して溶着部１４５を形成し、顔面横溶着部１３８と顔面下溶着部１３９を、顔面横溶着部１４９と顔面下溶着部１４８に重ねて溶着する事により、頭部回りエアーバック１３５が構成される。その他の構造に関しては、この発明の実施の形態１と同様である。
【実施例３】
【００７７】  以下、この発明の実施の形態３について説明する。
［発明の実施の形態３］【００７８】  図１９は、この発明の実施の形態３を示す。上記発明の実施の形態１では、図６において、口銜部６５が概ね９０度に曲げられたストロー６７と、そのストロー６７に対して溶着して取付けられた長方形の樹脂フィルムのストッパー６６で構成されると共に、ストロー挿入弁７３は２枚の薄い樹脂フィルムを重ね、樹脂フィルムの両横と、その両横の一部を中央部にストローを通過させる事ができる隙間を開けて横凸形状（抜落ち防止溶着部１８７）に溶着する。このように溶着されたストロー挿入弁７３にストロー６７を挿入し、図５の拡大図で説明したように、ストロー挿入弁７３の上部を、２枚の樹脂フィルムの間の溶着部３５に挿入して溶着する祭、ストッパー６６が溶着部３５と抜落ち防止部７０の間に配置されるようにストロー６７を挿入する事により、口銜部を上部に引き上げる際、ストッパー６６が溶着部３５に当接してストロー６７がストロー挿入弁７３から抜け落ちるのを防止したのに対して、この発明の実施の形態３では、給排気ストロー１６０は樹脂で成型されたストロー１６４と逆抜防止ストッパー１６５と給排気部１６２で構成され、給排気部１６２はストロー１６４に対して概ね９０度曲げて形成され、息を給排気する先端部には、ストロー１８３が口から抜けるのを防止するためリング状の口銜部４１が形成され、給排気部１６２の下当接部１６３はストロー挿入口１７６より太く形成され、さらにストロー１６４には、下部がストロー１６４の円周と同一サイズで上部の逆抜防止部１６６は傘を逆さにした様な形状の、柔らかい樹脂で形成された逆抜防止ストッパー１６５が取付けられる。このように形成した給排気ストロー１６０を、２枚の薄い樹脂フィルムの両側を溶着したストロー挿入弁１７１の間に挿入し、ストロー挿入弁１７１の上部をエアーバック溶着部１７２（図６の溶着部３５と同一箇所を示す）と重ねて溶着する事により、給排気部１６２を上部に引き上げる際には、逆抜防止部１６６がエアーバック溶着部１７２に当接し、給排気ストロー１６０が抜け落ちるのを防止すると共に、給排気部１６２を押し下げた際には、下当接部１６３がエアーバック溶着部１７２に当接して給排気ストロー１６０がストロー挿入弁１７１の内部に落下するのを防止する。その他の構造に関しては、この発明の実施の形態１と同様である。
【実施例４】
【００７９】  以下、この発明の実施の形態４について説明する。
［発明の実施の形態４］【００８０】  図２０は、この発明の実施の形態４を示す。上記発明の実施の形態１では、図６において、口銜部６５が概ね９０度に曲げられたストロー６７と、そのストロー６７に対して溶着して取付けられた長方形の樹脂フィルムのストッパー６６で構成されると共に、ストロー挿入弁７３は２枚の薄い樹脂フィルムを重ね、樹脂フィルムの両横と、その両横の一部を中央にストローを通過させる事ができる隙間を開けて横凸形状（抜落ち防止溶着部７０）に溶着する。このように溶着されたストロー挿入弁７３にストロー６７を挿入し、図５の拡大図で説明したように、ストロー挿入弁７３の上部を、２枚の樹脂フィルムの間の溶着部３５に挿入して溶着する祭、ストッパー６６が溶着部３５と抜落ち防止部７０の間に配置されるようにストロー６７を挿入する事により、口銜部を上部に引き上げる際、ストッパー６６が溶着部３５に当接してストロー６７がストロー挿入弁７３から抜け落ちるのを防止したのに対して、この発明の実施の形態４では、給排気ストロー１８０は柔らかい樹脂で成型された給排気部１８２とストロー１８３で構成され、給排気部１８２の先端にはストロー１８３に対して概ね４５度曲げ、ストロー１８３が口から抜けるのを防止するためリング状の口銜部１８１が形成され、ストロー１８３には、蒲鉾形の形状をした左右各１枚のストッパー１８３が一体成型される。逆止弁１９１は２枚の薄い樹脂フィルムを重ね、樹脂フィルムの両横のサイド溶着部１８９、サイド溶着部１９０と、そのサイド溶着部１８９、サイド溶着部１９０の両端の一部を、中央にストロー１８３を通過させる事ができる隙間（ストロー挿入口１８８）を開けて横凸形状（抜落ち防止溶着部１８７）に溶着される。このように溶着された逆止弁１９１に給排気ストロー１８０のストロー１８３とストッパー１８４を挿入し、逆止弁１９１をエアーバックの２枚の樹脂フィルムの間の溶着部１９４（図６の溶着部３５と同一箇所を示す）に挿入して溶着する際、ストッパー１８４が溶着部１９４と抜落ち防止溶着部１８７の間に配置されるようにストロー１８３を挿入し、ストロー１８３が上下に動作できるようにストロー１８３の外形より多少大きな空間（ストロー挿入口１９２）を残して溶着部１９４を溶着する事により、給排気部１８２を上部に引き上げた際、ストッパー１８４が溶着部１９４に当接してストロー１８３が逆止弁１９１から抜け落ちるのを防止し、ストロー１８３のストロー下端１８５が逆止弁１９１の中に引き込まれる事により逆止弁１９１を構成する２枚の薄い樹脂フィルムが貼付き、エアーバックの内部の空気が逆止弁１９１から洩れるのを防ぐ。さらに、給排気部１８２を下に押し下げた際は、ストッパー１８４が抜落ち防止溶着部１８７に当接し、給排気部１８２が逆止弁上端１８６から一定の間隔を保って停止するように構成される。その他の構造に関しては、この発明の実施の形態１と同様である。【００８１】  以上の実施の形態に基づいて、本発明に係る携帯式津波救命具について詳細に説明してきたが、本発明は、以上の実施の形態に限定されるものではなく、発明の趣旨を逸脱しない範囲において各種の改変をなしても、本発明の技術的範囲に属する��はもちろんである。【００８２】  図１及至図３において、頭部エアーバック２を頭部に装着するためハトメ４０と肩紐７を使用すると説明したが、ハトメ４０と肩紐７に拘る事なく、例えば、肩紐に変えて帯状の樹脂フィルムを溶着部に溶着してマジックテープを使用して固定する事も、もちろん可能である。同様に、胸装着用エアーパック５も樹脂フィルムを溶着部に溶着してマジックテープを使用して固定する事も、もちろん可能である。【００８３】  図３において、頭上部カバー３０と頭部回りカバー３２に使用する凹状の形状の素材を樹脂フィルムと記載したが、救助してくれる人々（救助隊）に避難者の位置を的確に知らせるため、顔面透明部の樹脂フィルムを除いた、図３ａの頭上部カバー３０と、図３ｂで説明した凹形状に裁断された樹脂フィルムを、黄色、赤色等に着色したカラー樹脂フィルムを使う事も、もちろん可能である。さらに、顔面透明部の樹脂フィルム以外の樹脂フィルムに梨地（果物の梨のようなブツブツの表面感）の樹脂フィルムを使用する事も、もちろん可能である。【００８４】  図６において、ストロー６７に取付けるストッパー６６は、長方形の樹脂フィルムを溶着して取り付けると記載したが、この形状と溶着に拘らず、例えば、食品、雑貨等の袋詰めの入り口を口封するために用いる、バッグシーリングテープをバックシーラーでストロー６７にシールしてストッパー６６を形成する事も、もちろん可能である。【００８５】  図９において、逆抜防止ストッパー１６５の形状を、下部がストロー１６４の円周と同一サイズで上部の逆抜防止部１６６は傘を逆さにした様な形状、と記載したが、この形状に拘らず、例えば、食品、雑貨等の袋詰めの入り口を口封するために用いる、バッグシーリングテープをバックシーラーでストロー１６４にシールした後、バッグシーリングテープをストロー１６４に巻き付けてストロー挿入口１７６からストロー挿入弁１７１に挿入する事により、ストロー挿入弁１７１の中でバッグシーリングテープが広がり逆抜防止部を形成する事も、もちろん可能である。【００８６】  図１８において、頭部回りエアーバック１３５は２枚の凸形の樹脂フィルムの一方に長方形の透明な樹脂フィルムを挿入して凸形の周囲を溶着する、と説明したが。頭部回りエアーバック１３５の２枚の樹脂フィルムの形状については、１枚が凸形の樹脂フィルムで、もう１枚には凸形の樹脂フィルムと顔面部の樹脂フィルムが１枚の形状で裁断された透明な樹脂フィルムを用い、２枚の凸形の樹脂フィルムを重ねた両端上部にストロー式逆止弁１４０、ストロー式逆止弁１４８を挿入し、２枚に重ねた凸形の外周部を溶着して頭部回りエアーバック１３５を構成する事も、もちろん可能である。さらに、頭部回りエアーバック１３５の空気室は１室で形成されているが、後頭部にあたる溶着部１３３と溶着部１３４の中間部の２枚の樹脂フィルムを、上下に隙間無く溶着する事により、頭部回りエアーバック１３５の空気室は別々に独立した状態（２室）となり、ストロー式逆止弁１４０とストロー式逆止弁１４８に挿入したストローから息を吹込む事により顔面に対して左右に独立したエアーバックを別々に膨らませる事が可能となる。
【図面の簡単な説明】
【００８７】
【図１】この発明の実施の形態１に係る、携帯式津波救命具を人間が胸部と頭部に装着し、正面方向と側面方向から見た状態を示す。
【図２】同実施の形態に係る、胸装着用エアーバックと、その胸装着用エアーバックを人間が胸に装着した状態を示す。
【図３】同実施の形態に係る、頭部に装着する頭部エアーバックを展開図で示す。
【図４】同実施の形態に係る、頭部に装着する頭部エアーバックを立体図で示す。
【図５】同実施の形態に係る、頭部に装着する頭部エアーバックの呼吸装置挿入部を拡大図で示す。
【図６】同実施の形態に係る、胸部に装着する胸装着用エアーバックと、頭部に装着する頭部エアーバックのストロー式逆止弁の構造を示す。
【図７】同実施の形態に係る、頭部に装着する頭部エアーバックの顔面下部に取付ける内カバーと、その内カバーに取付けられる小型酸素ボンベポケットの構造を示す。
【図８】同実施の形態に係る、頭部に装着する頭部エアーバックの顔面下部に取付ける内カバーと、その内カバーに取付けられる小型酸素ボンベポケットの構造を立体図で示す。
【図９】同実施の形態に係る、頭部に装着する頭部エアーバックの小型酸素ボンベポケットの前面に取付ける外カバーを示す。
【図１０】同実施の形態に係る、頭部に装着する頭部エアーバックの小型酸素ボンベポケットの前面に取付ける外カバーを立体図で示す。
【図１１】同実施の形態に係る、呼吸装置を示す。
【図１２】同実施の形態に係る、呼吸装置の給排気筒を収納した状態と、折畳んだ状態を示す。
【図１３】同実施の形態に係る、呼吸装置の給排気筒を収納した状態を、左側面図、正面図、右側面図で示す。
【図１４】同実施の形態に係る、呼吸装置の給排気筒を収納して折畳んだ状態を、左側面図、正面図、右側面図で示す。
【図１５】同実施の形態に係る、人間が頭部エアーバックに呼吸装置を装着した状態を正面図で示す。
【図１６】同実施の形態に係る、人間が頭部エアーバックに呼吸装置を装着した状態を側面図で示す。
【図１７】同実施の形態に係る、携帯式津波救命具を携帯可能なサイズに収納する手順を示す。
【図１８】この発明の実施の形態２に係る、頭部に装着する頭部エアーバックを展開図で示す。
【図１９】この発明の実施の形態３に係る、胸部に装着する胸装着用エアーバックと、頭部に装着する頭部エアーバックのストロー式逆止弁の構造を示す。
【図２０】この発明の実施の形態４に係る、胸部に装着する胸装着用エアーバックと、頭部に装着する頭部エアーバックのストロー式逆止弁の構造を示す。
【符号の説明】
【００８８】１                  携帯式津波救命具
２                  頭部エアーバック
４                  口銜部
５                  胸装着用エアーバック
６                  人間
７                  肩紐
８                  首ベルト
９                  口銜部
１０                頭部
１１                溶着部
１２                溶着部
１３                耳
１４                胸ベルト
１９                溶着部
２０                ストロー式逆止弁
２１                口銜部
２３                ハトメ
２４                ハトメ
３０                頭上部カバー
３１                溶着部
３２                頭部回りエアーバック
３３                顔面透明部
３４                溶着部
３５                溶着部
３６                溶着部
３７                後頭部合せ部
３８                肩回り
３９                顔面下切断部
４０                ハトメ
４１                肩回り
４２                後頭部合せ部
４３                ストロー式逆止弁
４４                ストロー式逆止弁
５０                上部補強シート
５１                補強シート
５３                呼吸装置挿入部
５４                給排気口挿入穴
５５                酸素給気口挿入穴
５６                口部切断部
６４                ストロー式逆止弁
６５                口銜部
６６                ストッパー
６７                ストロー
６８                ストロー下端
６９                樹脂フィルム上端
７０                抜落ち防止溶着部
７１                ストロー挿入口
７２                サイド溶着部
７３                ストロー挿入弁
７４                サイド溶着部
７５                ストロー挿入口
８０                マジックテープ
８１                溶着部
８２                内カバー
８３                小型酸素ボンベポケット
８４                マジックテープ
８５                マジックテープ
９０                マジックテープ
９１                外カバー
９２                溶着部
９３                マジックテープ
９４                マジックテープ
１００              呼吸装置
１０１              ＬＥＤキャップ
１０２              ＬＥＤ点滅灯
１０３              笛
１０４              上部給排気筒
１０５              抜け落ち防止キャップ
１０６              下部給排気筒
１０７              バルブ開閉ボタン
１０８              小型酸素ボンベ固定バンド
１０９              給排気口
１１０              エアーバック接続口
１１１              酸素吸気口
１１２              口当て止水カバー
１１３              小型酸素ボンベ
１１４              笛・ＬＥＤ点滅灯
１１５              息給排気口
１１６              ボルトとナット
１２０              手
１２１              丸めて収納した状態
１３０              頭上部カバー
１３１              溶着部
１３２              溶着部
１３３              溶着部
１３４              溶着部
１３５              頭部回りエアーバック
１３６              溶着部
１３７              顔面透明部
１３８              顔面横溶着部
１３９              画面下溶着部
１４０              ストロー式逆止弁
１４１              顔面下切断部
１４２              ハトメ
１４３              肩回り
１４４              肩回り
１４５              溶着部
１４６              顔面下切断部
１４７              顔面下溶着部
１４８              ストロー式逆止弁
１４９              顔面横溶着部
１５０              頭部エアーバック
１５１              頭部
１５２              胸装着用エアーバック
１５３              人間
１６０              給排気ストロー
１６１              口銜部
１６２              給排気部
１６３              下当接部
１６４              ストロー
１６５              逆抜防止ストッパー
１６６              逆抜防止部
１６７              ストロー下端部
１６８              ストロー挿入部
１６９              サイド溶着部
１７０              サイド溶着部
１７１              ストロー挿入弁
１７２              エアーバック溶着部
１７３              樹脂フィルム下端
１７４              樹脂フィルム上端
１７５              ストロー式逆止弁
１７６              ストロー挿入口
１８０              給排気ストロー
１８１              口銜部
１８２              給排気部
１８３              ストロー
１８４              ストッパー
１８５              ストロー下端
１８６              逆止弁上端
１８７              抜落ち防止溶着部
１８８              ストロー挿入口
１８９              サイド溶着部
１９０              サイド溶着部
１９１              逆止弁
１９２              ストロー挿入口
１９３              ストロー式逆止弁
１９４              溶着部
【図１】
2014097779.tif 000003
【図２】
2014097779.tif 000004
【図３】
2014097779.tif 000005
【図４】
2014097779.tif 000006
【図５】
2014097779.tif 000007
【図６】
2014097779.tif 000008
【図７】
2014097779.tif 000009
【図８】
2014097779.tif 000010
【図９】
2014097779.tif 000011
【図１０】
2014097779.tif 000012
【図１１】
2014097779.tif 000013
【図１２】
2014097779.tif 000014
【図１３】
2014097779.tif 000015
【図１４】
2014097779.tif 000016
【図１５】
2014097779.tif 000017
【図１６】
2014097779.tif 000018
【図１７】
2014097779.tif 000019
【図１８】
2014097779.tif 000020
【図１９】
2014097779.tif 000021
【図２０】
2014097779.tif 000022